(57)【要約】【課題】墓所に設けられる石材構造物の石製の開閉扉の構造に関し、墓所の雰囲気に適合し、美感に優れ、参拝者にも好印象を与えることができる上記構造を提供する。【解決手段】石製の本体３及びこの本体に鉛直軸回りに開閉可能に枢支された石製の扉２とを備えた石材構造物において、前記扉はその内側下辺から前記本体奥側へ延びる平面扇形の台板１２を一体に備えている。両開き構造のときは、両開閉扉の台板１２上に掛け渡された上台板４０を備え、当該上台板は前記扉２の開動作によって手前側へ引出され閉動作によって前記本体３内に収納される構造とする。【選択図】      図１２
2004225266.tif 000002
【特許請求の範囲】
【請求項１】
石製の本体（３）及びこの本体に鉛直軸回りに開閉可能に枢支された石製の扉（２）とを備えた石材構造物において、前記扉はその内側下辺から前記本体奥側へ延びる平面扇形の台板（１２）を一体に備えている、石材構造物の開閉扉。
【請求項２】
前記扉（２）がその前面板（９）の枢支辺側の側板（１１）を一体に備え、前記台板（１２）が当該面板及び側板の内側下辺を一体に連結するように設けられている、請求項１記載の石材構造物の開閉扉。
【請求項３】
前記面板（９）にスリット（１３）が設けられ、前記台板（１２）上に受箱ないし受皿（２２）が定置されている、請求項１又は２記載の石材構造物の開閉扉。
【請求項４】
前記面板（９）に多数の通気孔（１３）を備えた装飾模様（５２）が設けられ、台板（１２）上にろうそく立て（５３）ないし線香立て（５１）を備えている、請求項１又は２記載の石材構造物の開閉扉。
【請求項５】
両開き構造の請求項１又は２記載の開閉扉を備え、当該両開閉扉の台板上に掛け渡された上台板（４０）を備え、当該上台板は前記扉（２）の開動作によって手前側へ引出され閉動作によって前記本体（３）内に収納される、石材構造物の開閉扉。
【請求項６】
両側の台板（１２）の上面にそれぞれ植立されたガイドピン（４７）と、上台板（４０）の裏面両側に形成されたガイド溝（４６）とを備え、上台板（４０）は左右のガイド溝（４６）にそれぞれの側のガイドピン（４７）を挿入した状態で、両台板（１２）間に装架され、前記ガイド溝（４６）は上台板（４０）と扇形台板（１２）との左右方向の相対移動ストロークを規定する内側端（４９）及び外側端（４８）を備えている、請求項５記載の石材構造物の開閉扉。
【請求項７】
前記面板（９）に多数の通気孔（１３）を備えた装飾模様（５２）が形成され、上台板（４０）上にろうそく立て（５３）及び線香立て（５１）を備えている、請求項５又は６記載の石材構造物の開閉扉。
【発明の詳細な説明】
【０００１】
【発明が属する技術分野】
この発明は、墓所に設けられる石製の香炉台３０、名刺受け、灯篭などの石材構造物であって、石製の開閉扉を備えているものにおける、当該開閉扉の構造に関するものである。
【０００２】
【従来の技術】
墓所の香炉台は石製で、花台と共に墓石の前に設置されている。一般的な香炉台は、台の上面にろうそく立てや線香立てを設けたものであるが、風雨によってろうそくや線香の火が消えるのを防止するために、石の内部をくり貫いてろうそく立てや線香炉台を設置し、更にその前面に石製の両開きの開閉扉を設けたものが提供されている。
【０００３】
また、墓所に設ける名刺受けは、参拝者の名刺を受取るための箱で、金属製や石製のものが提供されている。この種の名刺受けでは、箱の前面に名刺を投入するためのスリットを設け、箱の背面に名刺を取り出すための開閉扉を設けている。墓所の名刺受けは、墓所の雰囲気や墓の材質との調和の点から、石製のものが好ましいが、石製のものであっても、名刺を取り出すための開閉扉は、ステンレス板製のスライド式の扉としているものが多い。
【０００４】
【発明が解決しようとする課題】
石をくり貫いてその前面に石製の開閉扉を設け、内部に線香立てやろうそく立てを設けた香炉台は、石製の開閉扉はある程度の厚さを有するため、線香立てやろうそく立てがくり貫かれた窪みの奥の方に位置することとなり、線香やろうそくを立てたりそれに火を付けたりする作業が困難になり、汚れたり破損したときの掃除や修理も面倒である。また、開閉扉を背面に設けた名刺受けも、背面が墓石等に接近して設置されるのが普通であるから、名刺を取り出す作業が面倒になる。
【０００５】
この発明は、上記のような従来の石製の香炉台や名刺受けの問題点を解決して、墓所の雰囲気にマッチした使いやすい香炉台や名刺受けを得ることを目的とする研究の一環としてなされたもので、墓所に設置される石材構造物に採用することによって、前記のような従来技術の問題点をすべて解消することができ、更に美感に優れ、参拝者にも好印象を与えることができる石製の開閉扉を提供することを改題としている。
【０００６】
【課題を解決するための手段】
この発明は、石製の本体及びこの本体に鉛直軸回りに開閉可能に枢支された石製の扉２とを備えた石材構造物において、前記扉はその内側下辺から前記本体奥側へ延びる平面扇形の台板１２を一体に備えている、石材構造物の開閉扉を提供することにより、上記課題を解決したものである。
【０００７】
この発明の石材構造物の開閉扉は、請求項２に記載のように、扉２がその面板９の枢支辺側の側板１１を一体に備え、前記台板１２が当該面板及び側板の内側下辺を一体に連結するように設けられているものとすることができる。この構造により、閉扉時に、扉２と本体３との隙間を目立たないものにすることができる。一方、本体３の側方に花立てなどが隣接して設置されるて当該花立てなどにより本体３と扉２との隙間が隠されるときや、大きな傘を本体上に乗せる灯籠の火袋などのように、本体３に強度が要求されるときは、両側壁４、１１、４１を本体３側に設けて、台板１２を前面板９のみと一体にした構造が適している。
【０００８】
この発明の開閉扉を墓所に設置する名刺受けなどに用いるときは、請求項３に記載のように、前面板９にスリット１３を設け、台板１２上に受箱ないし受皿２２を定置する。
【０００９】
この発明の開閉扉を香炉台や灯籠の火袋などに用いるときは、請求項４に記載のように、前面板９に多数の通気孔１３を備えた装飾模様５２を設け、台板１２上にろうそく立て５３ないし線香立て５１を設ける。
【００１０】
この発明の石材構造物の開閉扉を両開き構造としたときには、請求項５記載のように、両開閉扉の台板上に掛け渡された上台板４０を備え、当該上台板は前記扉２の開動作によって手前側へ引出され閉動作によって前記本体３内に収納される構造とすることができる。この構造により、両開き扉の同時開閉により、台板上のろうそく立てや線香立てが平行移動で本体に出入りするようにできる。
【００１１】
上記の請求項５に示した構造は、請求項６に記載のように、両側の台板１２の上面にそれぞれ植立されたガイドピン４７と、上台板４０の裏面両側に形成されたガイド溝４６とを備え、上台板４０は左右のガイド溝４６にそれぞれの側のガイドピン４７を挿入した状態で、両台板１２間に装架され、前記ガイド溝４６は上台板４０と扇形台板１２との左右方向の相対移動ストロークを規定する内側端４９及び外側端４８を備えた構造とすることにより、容易に製造可能であり、上台板４０の装脱も簡単であるという特徴がある。
【００１２】
上記両開き構造を墓所の香炉台に用いるときは、請求項７に記載のように、前面板９に多数の通気孔１３を備えた装飾模様５２を形成し、上台板４０上にろうそく立て５３及び線香立て５１を設ける。
【００１３】
【発明の実施の形態】
以下、図面を参照して、この発明の実施形態を説明する。図１ないし図４は、この発明の第１実施形態を示した図で、石製の燭台にこの発明の開閉扉を設けた例を示したものである。図１ないし図４において、２は石製の開閉扉、３は石製の本体である。本体３は、左側板４、背面板５、底板６及び天井板７を一体に備えている。また、扉２は、前面板９、右側板１１及び台板１２を一体に備えている。本体３は、立方体状の石材をくり貫いて左側板４、背面板５及び底板６を一体に形成した後、天井板７を接着したものであり、開閉扉２は、立方体状の石材をくり貫いて、図に示すような形状にしたものである。
【００１４】
台板１２は平面扇形で、その両側辺が前面板９及び右側板１１の内側下辺に一体に連結されている。前面板９及び背面板５には、多数の通気孔１３を含む模様が設けられており、側板４、１１には外面にレリーフ模様が設けられている。
【００１５】
開閉扉２の前面板９と側板１１とが繋がる部分の上下端には、ピン孔１４が穿設され、当該ピン孔には金属製の蝶番ピン１５が植立されている。本体３の対応する箇所にはブッシュ孔１６が穿設され、金属製のブッシュ１７が埋め込まれている。本体の天井板７は、開閉扉２の下方のピンを底板６のブッシュ１７に挿通したあと、上方のピン１５を天井板７のブッシュに挿通した状態で、左側板４及び背面板５の上縁に接着される。この状態で開閉扉２は、ピン１５回りに回動して、図３及び図４に示すように開閉可能になる。なお、図３は開閉扉２の閉状態（実線）と開閉途中の状態（想像線）を示す図、図４は開放状態を示す図である。また、図１は、図４の矢印Ａ方向から示す本体の斜視図であり、図２は、図４の矢印Ｂ方向から示す開閉扉の斜視図である。
【００１６】
開閉扉２を開いた図４の状態では、台板１２と右側板１１とが前面板９と共に回動する。この回動により、台板１２は本体３の内側から手前側へと引出される。台板１２の上には、ろうそく立て５３が固着されており、開閉扉２を開いて引出された台板上のろうそく立て５３にろうそくを立て火を付け、開閉扉２を閉じて図３の実線の状態にすると、燭台に明りが灯る。ろうそくの燃え滓の除去やろうそく立て５３の清掃は、開閉扉２を開いて台板１２が引出された状態で行うことができる。
【００１７】
図５は、第１実施形態と同様な構造の開閉扉２を墓所に設ける名刺受け２０（図１３参照）に設けた実施形態を示した図である。本体３及び開閉扉２の基本的な構造は、第１実施形態のものと異なるところがない。異なる点は、開閉扉の前面板９に名刺を投入するためのスリット２１が設けられていること、通気孔やレリーフ模様などは設けられていないこと、台板１２上にろうそく立てに代えて名刺を受取る受箱２２が固定されていることである。
【００１８】
図５は開閉扉２を開いた状態で示してあるが、通常は開閉扉２が閉じた状態となっており、石製の矩形の名刺受けの前面に名刺を投入するスリット２１が開口した状態となっている。参拝者がこのスリットから名刺と投入すると、当該名刺は受箱２２内に落下する。墓の持主や管理者は、適時名刺受けの開閉扉２を開いて受箱２２内の名刺を取り出すことにより、誰が参拝したかを知ることができる。
【００１９】
この発明の開閉扉を採用した名刺受けは、全体を墓所に適した石造りとすることができ、開閉扉２を開いたときに、手前に引出される台板１２上の受箱２２から名刺を取り出すことができるので、名刺の取り出し作業も容易である。
【００２０】
図６及び図７は、この発明の第３実施形態を示す図で、墓の香炉台３０（図１３参照）に、この発明の開閉扉２（２Ｌ、２Ｒ）を両開き構造で設けた例を示したものである。この第３実施形態の開閉扉２の構造は、第１実施形態で説明した構造と基本的に同じである。両開き構造としたため、香炉台の左側板４は左側の開閉扉２Ｌの前面板及び台板と一体となっており、従って本体３は、側板を有していない。即ち、本体３は、底板、背面板及び天井板のみを備えた構造となり、その底板及び天井板の手前両隅部分で左右の開閉扉２を枢支している。右側の開閉扉２Ｒは、図２に示した開閉扉とほぼ同一構造であり、側板外面にレリーフ模様が設けられていない点のみが異なる。左側開閉扉２Ｌは、右側開閉扉２Ｒと左右逆の構造で、前面板の端縁に閉じたときの隙間を隠すための桟３１が設けられていない点だけが異なる。なお、この桟３１は、第１及び第２実施形態のものでは、開閉扉２の閉位置を規定する作用をしている。一方、第３実施形態のものでは、香炉台３０の両側に設置される花立て３２で開閉扉２Ｌ、２Ｒの閉位置を規定することができる。
【００２１】
この第３実施形態において、開閉扉２を開くと、台板１２が手前に引出されるので、台板上に設けたろうそく立て５３や線香立て（図示せず）に、ろうそくや線香を立てて火を付け、開閉扉２を閉じると、扉前面の通気孔１３を通してろうそくの火か見え、線香の煙が流れる。ろうそくや線香は、香炉台３０の内側に収まった状態となるので、風雨により火が消えるのを避けることができる。
【００２２】
図８ないし図１２は、墓所の香炉台３０にこの発明の開閉扉を設けた第４実施例を示した図である。この第４実施例の構造は、側板を開閉扉に設けていない点、及び扇形の台板１２上に上台板４０を設けている点で上述した第１ないし第３実施形態のものと異なるので、以下にこれらの点を詳しく説明する。
【００２３】
図９に示すように、この第４実施形態の開閉扉２は、前面板９とこれに一体の扇形の台板１２とで形成され、側板は備えていない。左側開閉扉２Ｌも右側開閉扉２Ｒと同様に側板を備えていない構造である。両側の側板は、本体３側に一体に設けられ、従って本体３は、底板６、左右の側板４１、背面板５（図１１参照）及び天井板７を一体に備えた構造となる。開閉扉の台板１２の上面には、その円弧縁４２近くの中央より僅かに前面板９寄りの位置に、金属製のガイドピン４７が植立されている。また、図１２に破線で示すように、本体の側板４１の内側下縁には、台板１２の奥縁４３が入り込んで停止する溝４４が形成されている。開閉扉２Ｌ、２Ｒの閉位置は、この溝４４の奥面と台板１２の奥側縁４３とが当接することによって規定される。
【００２４】
開閉扉の両側の台板１２上には、上台板４０が両台板１２に掛け渡された状態で装架されている。上台板４０の底面４５には、図１０に示すように、左右方向に細長いガイド溝４６が刻設されており、台板１２のガイドピン４７がこのガイド溝４６に挿入された状態で、上台板４０が左右の台板１２上に載置されている。
【００２５】
開閉扉２の全開位置は、ガイドピン４７がガイド溝４６の外側端４８に当接した位置で規定される。開閉扉２を閉じた状態では、ガイドピン４７がガイド溝４６の外側端４８の直近の位置に来るようにする。そして、開閉途中の両側の扉がほぼ同じ角度で開かれたときの、両側のガイドピン４７が最も接近するときに、両ガイドピン４７がガイド溝４６の内側端４９の直近の位置に来るように、ガイドピン４７の植立位置とガイド溝４６の外側端４８及び内側端４９の位置を設定する。これにより、上台板４０が開閉扉２の開閉動作に伴って、左右に大きく移動することなく前後移動する。即ち、両側の開閉扉２Ｌ、２Ｒを開くことによって、上台板４０が手前に平行に引出され、閉じたときに平行に奥側に移動して本体３内に収まる。
【００２６】
このように設けた上台板４０上にろうそく立て５３及び線香立て５１を設ければ、開閉扉２を開いてろうそくや線香を立てて火を付け、開閉扉２を閉じると、当該ろうそくや線香は香炉台３０内に収まる。開閉扉２の前面には、通気孔１３を有する模様５２が設けられており、香炉台３０内のろうそくの火は、通気孔１３を通して見え、線香の煙は通気孔１３を通って流れる。ろうそくや線香は風雨から保護されるので、火が消えることがない。
【００２７】
開閉扉２を開けば、上台板４０が手前側へ移動して来る。更にこの第４実施形態のものでは、上台板４０を持ち上げることによって容易に取り外すことができるので、ろうそくや線香の燃え滓の除去、及びろうそく立てや線香立ての清掃が極めて容易である。更に、ろうそく立て５３や線香立て５１、あるいは上台板４０が破損したときに、それらの修理及び交換も極めて容易にできるという特徴がある。
【００２８】
図１４ないし１７は、この発明の開閉扉を灯籠の火袋６０に設けた第６実施例を示した図で、図１５は火袋６０の横断面図、図１６は傘６１の下面図、図１７は受６２の上面図である。火袋の本体３は、背面板５及び両側板４、１１を一体に備えた平面コ字形であり、要所に通気のための開口６３が設けられている。火袋の天井は傘６１の下面で形成され、底板は受６２の上面で形成される。
【００２９】
火袋の開閉扉２は、前面板９とその下辺内側に一体に連設された台板１２とを備え、台板１２の上面にろうそく立て５３が固定されている。開閉扉２の左側板４側の端部近くの上下面には、ピン１５が植立されており、傘６１の下面及び受６２の上面のこれに対応する位置に、図１６及び１７に示すブッシュ１７Ｃ及び１７Ｂが埋設されている。開閉扉の前面板９の枢支されている側の側縁背後と左側板４の前縁は、円弧断面にして、開閉扉２と側面板４との間に大きな隙間があかないようにしている。この第６実施例において側板４を本体３側に設けたのは、重い傘６１を支えるのに十分な強度を火袋６０に持たせるためである。
【００３０】
このような構造の火袋を備えた灯籠は、開閉扉２を開いて引き出された台板１２上のろうそく立て５３にろうそくを立てて火を付け、扉２を閉じると火袋６０内にろうそくの灯がともる。
【００３１】
【発明の効果】
以上の説明から理解されるように、この発明の開閉扉は、墓所に設置される香炉台、名刺受け、灯篭の火袋などの石材構造物に利用することができ、従来野ざらしになっている各種のものを石材構造物内に収納して、風雨から保護することができ、収納物の出し入れや清掃等の際における使い勝手が向上するなどの有利な効果が得られる。また、この発明の開閉扉を設けても、石材構造物としての材質や外観を阻害することがなく、かつ石材の加工に適した比較的簡単な構造であるため、当該構造物のコストを大幅に上昇させることもない。
【図面の簡単な説明】
【図１】第１実施形態の本体を図４のＡ方向から示す斜視図
【図２】第１実施形態の開閉扉を図４のＢ方向から示す斜視図
【図３】閉扉状態を示す断面平面図
【図４】開扉状態を示す断面平面図
【図５】第２実施形態を開扉状態で示す斜視図
【図６】第３実施形態の外観を示す斜視図
【図７】第３実施形態の右側開閉扉の斜視図
【図８】第４実施形態の外観を示す斜視図
【図９】第４実施形態の右側開閉扉の斜視図
【図１０】上台板を下方から見た斜視図
【図１１】第４実施形態の閉扉状態の断面平面図
【図１２】第４実施形態の開扉状態の斜視図
【図１３】墓の一例を示す斜視図
【図１４】灯篭の一例を示す斜視図
【図１５】第５実施形態の火袋の横断面図
【図１６】第５実施形態の傘の下面図
【図１７】第５実施形態の受の上面図
【符号の説明】
２  扉
３  本体
９  前面板
１１  側板
１２  台板
４０  上台板
４６  ガイド溝
４７  ガイドピン
５１  線香立て
５２  装飾模様
５３  ろうそく立て
【図１】
2004225266.tif 000003
【図２】
2004225266.tif 000004
【図３】
2004225266.tif 000005
【図４】
2004225266.tif 000006
【図５】
2004225266.tif 000007
【図６】
2004225266.tif 000008
【図７】
2004225266.tif 000009
【図８】
2004225266.tif 000010
【図９】
2004225266.tif 000011
【図１０】
2004225266.tif 000012
【図１１】
2004225266.tif 000013
【図１２】
2004225266.tif 000014
【図１３】
2004225266.tif 000015
【図１４】
2004225266.tif 000016
【図１５】
2004225266.tif 000017
【図１６】
2004225266.tif 000018
【図１７】
2004225266.tif 000019